(57)【要約】【課題】土を篩い落としながら搬送するコンベア部を有した地下茎作物の掘り取り装置において、コンベア部に土壌等が付着しにくく、効率よい作業が行える地下茎作物の掘り取り装置を提供する。【解決手段】コンベア部３は、ゴム状弾性材からなる複数の突起を放射状に設けたフィンガーロール３０を軸方向に複数並べた送りローラー３２を、軸芯方向を進行方向と直交する方向に向け、前方から斜め上後方に向け一定間隔で配置して、それぞれ回転駆動されて掘り上げられた地下茎作物が上方に向け搬送されるように構成されていて、送りローラー３２の下方部には、各フィンガーロール３０の左右方向の突起間に付着する土壌等の掻き落しを行う掻き落し手段８を設けた地下茎作物の掘り取り装置による。【選択図】      図５
2018134065.tif 000002
【特許請求の範囲】
【請求項１】
地下茎作物の下方部を通過させて掘り上げる掘削刃部と、
掘削刃部後方に位置して掘り上げた地下茎作物を斜め上後方に搬送しながら土を振るい落とす搬送体を有するコンベア部を有し、該コンベア部終端部から掘り上げた地下茎作物を落下させ収穫するトラクタ等の走行車に装着されて使用される地下茎作物の掘り取り装置において、
前記コンベア部は、ゴム状弾性材からなる複数の突起を放射状に設けたフィンガーロールを軸方向に複数並べた送りローラーを、軸芯方向を進行方向と直交する方向に向け、前方から斜め上後方に向け一定間隔で配置して、それぞれ回転駆動されて掘り上げられた地下茎作物が上方に向け搬送されるように構成されていて、
前記送りローラーの下方部には、前記各フィンガーロールの左右方向の突起間に付着する土壌等の掻き落しを行う掻き落し手段を設けたことを特徴とした地下茎作物の掘り取り装置。
【請求項２】
前記掻き落し手段は、フィンガーロールの左右方向の突起間に位置させて、送りローラーの回転軸心方向に向けた掻き落し材が、送りローラーの回転軸心と平行に設けた基部材に櫛状に多数固着されて設けられていることを特徴とした請求項1に記載の地下茎作物の掘り取り装置。
【発明の詳細な説明】
【技術分野】
【０００１】
本発明は、地下茎作物を掘り取る掘削刃を有し、この掘削刃によって掘り上げられたニンニク等の収穫物を、土を篩い落としながら搬送するコンベア部を有した地下茎作物の掘り取り装置に関する。
【背景技術】
【０００２】
このような掘り取り装置の従来技術として例えば実開平５−６８２１７号公報（従来技術１）の「掘り取り装置」や実開昭５７−８０２１６号公報（従来技術２）の「掘取機における揚上搬送装置」が開示されている。
【０００３】
従来技術１には、「機枠と、掘削刃と、後方に傾斜した搬送コンベヤとからなる掘り取り装置において、搬送コンベヤの後端部に垂下した補助板と前部が解放した断面Ｕ字状の収納容器とからなるドロッパーを形成し、この収納容器を支軸によって吊持し、収納容器の前部が前記した補助板に常に当接するように構成したことを特徴とした掘り取り装置。」であり、収納容器に収穫物が一定量になったところで収納容器を後方へ傾斜させて収穫物を一気に放出させる掘り取り装置の開示がされている。
また、従来技術２には「掘取刃体の後方に揚上搬送体を後上位に傾斜して設けた掘取機において、ゴム状弾性材からなる多数の角歯を一定間隔を持して軸方向に櫛歯状に並べ且つ周方向に放射状に突設せしめてなる角付送りローラーを、掘取刃体の後方より後方上方に一定間隔を隔てて順次横方向に軸架並設すると共に、相隣接する角付送りローラーの角歯を互いに齟齬せしめ且つ各角付送りローラーの軸回転を、上側が前方より後方に向う如き回転となるような同一方向の回転とした角付送りローラー群と、該角付送りローラー群の全面上部を小間隔を持して覆い且つ弾性的に懸吊された幕体とにより、前記揚上搬送体を構成してなる掘取機における揚上搬送装置。」であり、チューリップ等地下球根類を掘取り後方上方に損傷なく揚上搬送する装置が開示されている。
【先行技術文献】
【特許文献】
【０００４】
【特許文献１】実開平５−６８２１７号公報（従来技術１）
【特許文献２】実開昭５７−８０２１６号公報（従来技術２）
【発明の概要】
【発明が解決しようとする課題】
【０００５】
従来の掘り取り装置で掘り上げられた収穫物は、搬送コンベアで斜め上方に移送され、搬送コンベアの後端部から放出され収穫される。しかし、収穫時の圃場の土壌の水分が多いと、掘り取り部で掘り上げられた収穫物に土が付着して落ち難いとともに、収穫物と共に搬送コンベアに載せられた土壌がコンベア部に付着して、コンベア部の隙間から落下し難くなり、収穫物とともに土塊が後方に搬送されて、別工程で土と収穫物を選別する必要があり、効率よい作業が行えない問題があった。従来技術１の掘り取り装置においては、同じ問題が発生する。
【０００６】
このため本発明の目的は、掘削刃によって掘り上げられたニンニク等の収穫物を、土を篩い落としながら搬送するコンベア部を有した地下茎作物の掘り取り装置において、水分の多い土壌での掘り取り作業でもコンベア部に土壌等が付着しにくく、効率よい作業が行える地下茎作物の掘り取り装置を提供することにある。
【課題を解決するための手段】
【０００７】
上記課題を解決するために、請求項１の発明は、地下茎作物の下方部を通過させて掘り上げる掘削刃部と、掘削刃部後方に位置して掘り上げた地下茎作物を斜め上後方に搬送しながら土を振るい落とす搬送体を有するコンベア部を有し、該コンベア部終端部から掘り上げた地下茎作物を落下させ収穫するトラクタ等の走行車に装着されて使用される地下茎作物の掘り取り装置において、前記コンベア部は、ゴム状弾性材からなる複数の突起を放射状に設けたフィンガーロールを軸方向に複数並べた送りローラーを、軸芯方向を進行方向と直交する方向に向け、前方から斜め上後方に向け一定間隔で配置して、それぞれ回転駆動されて掘り上げられた地下茎作物が上方に向け搬送されるように構成されていて、前記送りローラーの下方部には、前記各フィンガーロールの左右方向の突起間に付着する土壌等の掻き落しを行う掻き落し手段を設けたことを特徴とした地下茎作物の掘り取り装置である。
【０００８】
また、上記課題を解決するために、請求項２の発明は、前記掻き落し手段は、フィンガーロールの左右方向の突起間に位置させて、送りローラーの回転軸心方向に向けた掻き落し材が、送りローラーの回転軸心と平行に設けた基部材に櫛状に多数固着されて設けられていることを特徴とした請求項1に記載の地下茎作物の掘り取り装置である。
【発明の効果】
【０００９】
この発明によれば、送りローラーの下方部に、各フィンガーロールの左右方向の突起間に付着する土壌等の掻き落しを行う掻き落し手段を設けたことにより、土の付着が防止され、フィンガーロールの隙間からコンベア上部の土が下方に落下しやすくなり、掘り上げた土壌が後方まで搬送されなくなり、掘り取り作業効率が向上する効果がある。
【図面の簡単な説明】
【００１０】
【図１】本発明を実施した地下茎作物の掘り取り装置の側面図である。
【図２】本発明を実施した地下茎作物の掘り取り装置の正面図である。
【図３】本発明を実施した地下茎作物の掘り取り装置のコンベア部駆動部を示した保護カバーを外した状態の側面図である。
【図４】本発明のコンベア部を断面した側面図である。
【図５】本発明の掻き落し手段部の要部後面図である。
【図６】本発明の掘り取り装置のフィンガーロールの斜視図である。
【発明を実施するための形態】
【００１１】
以下、本発明の実施例をトラクタに装着して使用される地下茎作物の掘り取り装置の一例を図１乃至図６に基いて説明する。本説明においては、図１に示す左側を進行方向前方側として説明する。
【００１２】
この発明の実施形態である地下茎作物の掘り取り装置は、トラクタなどの走行装置に装着して進行しながらニンニク等の地下茎作物を掘り上げる。この発明の実施形態である地下茎作物の掘り取り装置は、地下茎作物が栽培されている畝の両側の２つの畝間の地面をそり状のシュー１２によって接地させ高さを一定にして進行しつつ、走行方向と直角方向に設けられる掘削刃部２によって畝の土中に栽培されているニンニク等の地下茎作物の球根部を掘り起こす。そして、掘削刃部２に近接した後方に設けられた搬送体であるコンベア部３によって後方に搬送する。コンベア部３は、後方斜め上方に向け設けられていて、搬送途中の掘り上げられた地下茎作物に付着した土を払落しながら後方に搬送する。搬送された地下茎作物は、コンベア部３の後端から下方に落下し、下方に設けた貯留部７のバケット７０内に貯留される。
【００１３】
機体前方の中央部には、上方部にトップリンクピン１１と下方左右にはロアリンピン１０が設けられていて、トラクタの３点リンク機構部に連結するためのものである。トップリンクピン１１は、トラクタの３点リンク機構部のトップリンクに、ロアリンクピン１０は左右のロアリンクに連結される。トラクタの３点リンク機構は、連結された掘り取り装置を昇降可能である。機体前方の中央部には、ギヤボックス５が設けられていて、ギヤボックス５からは前方に向け突設された入力軸４が備えられている。図示していないがトラクタＰＴＯ軸とユニバーサルジョイントにて入力軸４が連結され、ギヤボックス５にトラクタの動力が伝動される。
【００１４】
機体前方下方端部には掘削刃部２の掘削刃２３が設けられている。掘削刃２３は、前方端縁に側面視鋭角の刃を設けた左右方向の平板状で、後方後ろ上がりに傾斜している。また、後端縁には、後方に延設された丸棒状の案内棒が左右方向に複数設けられ、地下茎作物を後方に誘導する。掘削刃２３の左右端部は、前方に端面を向けた平板状の掘削刃側部アーム２０が固着され保持されている。掘削刃側部アーム２０は、掘削刃２３から上方に立ち上げられ、上方端部はさらに左右水平方向に設けたパイプ状の掘削刃フレーム２１に固着されている。掘削刃フレーム２１は、掘削刃フレーム２１の前方側に設けた左右水平方向の掘削刃フレーム揺動軸２２を中心に下方端側、即ち、掘削刃２３部が前後方向に揺動自在である。掘削刃フレーム２１の中央部には、後方に向けて設けられたアームが設けられ、アーム端部と、ギヤボックス５前方部の入力軸４に設けたクランク部とロッドで回動自在に連結される。クランク部の偏心部により、掘削刃フレーム２１を前後に揺動振動させ、掘削刃フレーム２１に固定される掘削刃２３も同時に前後に揺動振動させる。掘削刃２３は進行方向と直行する方向に掛け渡され、地下茎作物の下方部を通過して根を切断するとともに、土壌を膨軟にして地下茎作物を浮き上がらせ、後方のコンベア部３に地下茎作物が走行と共に移動される。
【００１５】
本例の搬送体であるコンベア部３は、突起３００を放射状に星形に設けた図６に示すフィンガーロール３０を、左右水平方向に複数並べて設けた送りローラー３２を後方斜め上方に向け一定間隔で複数設け、それぞれコンベア部３の上面に載せられた地下茎作物が上方に移動する方向に回転させて構成されている。コンベア部３の上面に載せられた地下茎作物は、回転するフィンガーロール３０の突起３００によって跳ね上げられながら後方に移動し、地下茎作物に付着した土が払い落とされ後方に移動する。送りローラー３２の間隔は、側面視フィンガーロール３０の突起３００の回転軌跡が重合するように設けられ、正面視において、互いに左右方向の位置が重ならないように設けられている。掘り上げられた地下茎作物とともにコンべア部３に乗せられた土壌や、地下茎作物から払い落とされた土壌は、フィンガーロール３０の突起３００の隙間から下方に落下して、地下茎作物が後方に搬送される。
【００１６】
送りローラー（搬送軸）３２は、左右に立設させた側板３１の下方側にそれぞれ左右端部を軸受によって回転自在に保持されていて、本例においては、側板３１の左側外側に突設させた軸端部にそれぞれスプロケット６０を固着させ、隣り合うスプロケット６０間にそれぞれローラチェーン６２を巻着させ、それぞれの送りローラー（搬送軸）３２は一体に回転するようになっている。入力軸４に入力された動力はギヤボックス５内のベベルギヤによって、ギヤボックス５の左右に固着して設けたパイプフレーム５０の左側内を通る出力軸５１に伝動され、出力軸５１の左端部の側板３１の外側に固着させた出力軸スプロケット５２を回転させる。出力軸スプロケット５２と前記送りローラー（搬送軸）３２の最前列のスプロケット６０とローラチェーンを介して連動されていて、入力軸４が回転するとコンベア部３が回転駆動されるようにコンベア部駆動部６が構成されている。
【００１７】
コンベア部３によって後方に搬送された地下茎作物は、コンベア部３の後端部から下方に落下して、下方部の貯留部７のバケット７０に貯留される。バケット７０がバケット７０上方に設けた進行方向と直行する水平軸の回動支点軸を中心に後方に回動可能で、回動することによりバケット７０前方側から収容された地下茎作物をまとめて排出することができる。バケット７０の回動は、バケット開放駆動部７２によって引上げられて行われる。
【００１８】
コンベア部３の送りローラー３２の下方部には、各フィンガーロール３０の左右方向の突起３００間に付着する土壌等の掻き落しを行う掻き落し手段８が設けられている。本例の実施例においては、前方から２乃至４番目の送りローラー３２の下方部にそれぞれ設けている。設ける位置は任意に必要と思われる位置に設ける。それぞれの掻き落し手段８は、図５に示すように、左右の側板３１に端部を保持された基部材８１を送りローラー３２の回転軸心と平行に設け、基部材８１から掻き落し材８０を送りローラー３２の回転軸心方向に向け、櫛状にフィンガーロール３０の突起３００間に位置させて設ける。本例においては、基部材８１はパイプ材で、掻き落し材８０は丸棒材で構成されている。
【００１９】
掻き落し材８０は、左右に位置するフィンガーロール３０の突起３００と左右方向側部を接近した状態で設け、先端部をフィンガーロール３０のボス部３０１と接近して設けてフンガーロール３０に付着した土を掻き落す。
【００２０】
次に、この発明の実施形態である地下茎作物の掘り取り装置による掘り取り作業について説明する。この発明の実施形態である地下茎作物の掘り取り装置は、トラクタなどの走行装置に装着して走行しながらニンニク等の地下茎作物を掘り取りする。
【００２１】
この発明の実施形態である地下茎作物の掘り取り装置を、地下茎作物が栽培されている畝の両側の２つの畝間にトラクタの走行輪とそり状のシュー１２を位置させ走行しつつ、掘削刃部２の掘削刃２３を畝の土中に栽培されているニンニク等の地下茎作物の球根部の下方を通過させる。掘削刃２３は前後に揺動振動して、地下茎作物の下方部を通過して根を切断するとともに、土壌を膨軟にして地下茎作物を浮き上がらせ、後方のコンベア部３に地下茎作物が走行と共に移動される。
【００２２】
コンベア部３によって搬送されてくる地下茎作物は、前方から後方に斜め上方に向け多数設けた送りローラー（搬送軸）３２の星形のフィンガーロール３０によって跳ね上げられながら後方に移送され、付着した土が篩い落とされ、コンベア部３の後端部から自然落下して貯留部７に収納され収穫される。
【００２３】
圃場の土壌の水分が多い場合には、掘削刃部２で掘り上げた地下茎作物や土壌がコンベア部３に載せられると、土壌がコンベア部３のフィンガーロール３０部に付着して、フィンガーロール３０間の隙間がなくなり、土壌が下方に落下せずに地下茎作物と共に後方に搬送され、バケット７０内に地下茎作物と土壌が混在して収容される。この場合、土壌を取り除く作業が余分に発生して作業効率が著しく悪化する。
【００２４】
本例の発明の掻き落し手段８を、コンベア部３の送りローラー３２の下方部に設けていることによって、各フィンガーロール３０の左右方向の突起３００間に付着する土壌や夾雑物の掻き落しが行われるため、土壌の落下スペースが確保され、土壌が後方に搬送されず、バケット７０内に土壌が入り込むことがなく、水分が多い状態の圃場でも効率よい作業ができる。
【００２５】
バケット７０に貯留された地下茎作物が満杯になったら、バケット開放駆動部７２を可動させ、バケット７０上方に設けた進行方向と直行する水平軸の回動支点軸を中心に後方に回動させ、バケット７０前方側から収容された地下茎作物をまとめて排出する。
【産業上の利用可能性】
【００２６】
この発明は、ニンニク等の地下茎作物の掘り取り装置に利用すると効率よい作業が行える。
【符号の説明】
【００２７】
２  掘削刃部
２０  掘削刃側部アーム
２１  掘削刃フレーム
２２  掘削刃フレーム揺動軸
２３  掘削刃
３  コンベア部(搬送体)
３０  フィンガーロール
３００  突起
３０１  ボス部
３１  側板
３２  送りローラー（搬送軸）
４  入力軸
５  ギヤボックス
５０  パイプフレーム
５１  出力軸
５２  出力軸スプロケット
６  コンベア部駆動部
６０  スプロケット
６２  ローラチェーン
７  貯留部
７０  バケット
８  掻き落し手段
８０  掻き落し材
８１  基部材
【図１】
2018134065.tif 000003
【図２】
2018134065.tif 000004
【図３】
2018134065.tif 000005
【図４】
2018134065.tif 000006
【図５】
2018134065.tif 000007
【図６】
2018134065.tif 000008